(57)【特許請求の範囲】
【請求項１】
上面の吸込み口から下部の吹出し口に至る空気流を生成する送風ファンと、
前記送風ファンの上流側で前記送風ファンの前面側に位置する熱交換器と、
取付ベース、該取付ベースの前面側に取り付けられ、箱状の基板ボックスと該基板ボックスの前面側開口を覆う蓋とから成り制御基板を収納する表面が金属製の制御基板ケース、を有し、前記熱交換器の前方に横長に配置される電気品ユニットと、
当該室内機の最前面に開閉可能に位置する正面意匠パネルと、
当該室内機の筺体を構成する部材に着脱可能に取り付けられ、前記電気品ユニットの下方を覆う下側カバー板、前記電気品ユニットの前方を覆う正面側カバー板から成る電気品カバーと、を備え、
前記正面側カバー板は、前記正面意匠パネルが開かれると露出され、
前記下側カバー板は、前記正面意匠パネルの開閉状態に関わりなく、当該室内機の前側下部で露出されており、
前記電気品カバーは、前記下側カバー板と前記正面側カバー板とがヒンジ構造を介して接続され、前記正面意匠パネルが開いた状態にて、前記下側カバー板に対して、前記正面側カバー板が前方下向きに回動可能であることを特徴とする空気調和機の室内機。
【請求項２】
上面の吸込み口から下部の吹出し口に至る空気流を生成する送風ファンと、
前記送風ファンの上流側で前記送風ファンの前面側に位置する熱交換器と、
前記熱交換器の前方に横長に配置される電気品ユニットと、
当該室内機の最前面に開閉可能に位置する正面意匠パネルと、
当該室内機の筺体を構成する部材に着脱可能に取り付けられ、前記電気品ユニットの下方を覆う下側カバー板、前記電気品ユニットの前方を覆う正面側カバー板から成る電気品カバーと、を備え、
前記正面側カバー板は、前記正面意匠パネルが開かれると露出され、
前記下側カバー板は、前記正面意匠パネルの開閉状態に関わりなく、当該室内機の前側下部で露出されており、
前記電気品カバーは、前記下側カバー板と前記正面側カバー板とがヒンジ構造を介して接続され、前記正面意匠パネルが開いた状態にて、前記下側カバー板に対して、前記正面側カバー板が前方下向きに回動可能であることを特徴とする空気調和機の室内機。
【請求項３】
前記正面側カバー板は、前記筺体を構成する部材にねじ締結されていて、このねじ締結が解除されると前記下側カバー板に対して回動できるものであり、前記正面側カバー板が回動されている状態で、前記下側カバー板が、前記筺体を構成する部材から取り外すことができることを特徴とする請求項１または２に記載の空気調和機の室内機。
【請求項４】
前記筺体を構成する部材が、当該室内機の側面を閉ざす右側面パネルおよび左側面パネルであることを特徴とする請求項１〜３のいずれかに記載の空気調和機の室内機。
【請求項５】
前記電気品カバーは、前記下側カバー板と前記正面側カバー板の材質が異なるものであることを特徴とする請求項１〜４のいずれかに記載の空気調和機の室内機。
【請求項６】
前記電気品カバーは、前記下側カバー板と前記正面側カバー板の板厚が異なるものであることを特徴とする請求項１〜５のいずれかに記載の空気調和機の室内機。
【発明の詳細な説明】
【技術分野】
【０００１】
この発明は、空気調和機の室内機に関し、特に、壁掛けタイプで当該室内機の前面側で熱交換器の前方に電気品ユニットが配置される空気調和機の室内機に関するものである。
【背景技術】
【０００２】
室外機と室内機とを有するセパレート型の空気調和機の室内機にあって、空調する部屋の壁面上部に設置される壁掛けタイプの室内機においては、これまで、各種電気電子部品が実装された制御基板を含む電気品が集合した電気品ユニットが、室内機の左右方向に幅広である熱交換器の左右どちら一方の側方に、すなわち左右方向に並んで配置されているものが多かった。
【０００３】
ところが近年では、電気品ユニットを室内機の前面側となる熱交換器の下部前方に配置する室内機も見受けられる。すなわち電気品ユニットを前方として、電気品ユニットと熱交換器とが前後方向に並んで配置されているのである。電気品ユニットを熱交換器の前方に配置することで、室内機の左右方向の幅を広げて熱交換器の伝熱面積を増やし熱交換量を増加させるのである。これにより、空気調和機の能力向上を図ることができるのである。また、熱交換量の増加が必要ない場合では、熱交換器の左右幅は変えずに室内機全体の左右方向寸法を小型化することができることとなる。（例えば特許文献１参照。）
【先行技術文献】
【特許文献】
【０００４】
【特許文献１】特開２００２−７１１６４号公報
【発明の概要】
【発明が解決しようとする課題】
【０００５】
特許文献１に示すように熱交換器の前方に電気品ユニットを配置した室内機では、例えば室内機のエアフィルターの手入れ作業等のために、室内機の最前面に設けられている開閉可能な正面意匠パネルをユーザが開くと、電気品ユニットが正面に露出されることとなる。このためユーザが上記のような作業中に、不用意に電気品ユニットに触れてしまって、例えば配線を引っ掛けて抜いてしまうというような不具合が発生する恐れがある。
【０００６】
また、正面意匠パネルが開いて電気品ユニットが正面に露出されると、制御基板を収納する金属製ケースや複数の配線類などがユーザの目に触れることとなる。壁面上部に設置される室内機の外観は、その部屋のインテリアデザインの一部を担うこととなるため、高い意匠性を有しているものであるが、正面意匠パネルが開かれた状態では、露出した電気品ユニットによって、その意匠性が損なわれることとなってしまう。
【０００７】
この発明は、上記のような課題を解決するためになされたもので、熱交換器の前方に電気品ユニットを配置しながら、正面意匠パネルが開いた状態において、電気品ユニットが露出されることがない空気調和機の室内機を提供することを目的とする。
【０００８】
また、上記のように正面意匠パネルが開いた状態において電気品ユニットが露出されることのない空気調和機の室内機でありながら、この室内機の点検や修理作業を行うサービス作業者が、電気品ユニットに関わる点検・修理作業を行う際には、作業を容易に行うことができる空気調和機の室内機を提供することを目的とする。
【課題を解決するための手段】
【０００９】
この発明に係る空気調和機の室内機は、上面の吸込み口から下部の吹出し口に至る空気流を生成する送風ファンと、送風ファンの上流側で送風ファンの前面側に位置する熱交換器と、取付ベース、該取付ベースの前面側に取り付けられ、箱状の基板ボックスと該基板ボックスの前面側開口を覆う蓋とから成り制御基板を収納する表面が金属製の制御基板ケース、を有し、熱交換器の前方に横長に配置される電気品ユニットと、当該室内機の最前面に開閉可能に位置する正面意匠パネルと、当該室内機の筺体を構成する部材に着脱可能に取り付けられ、電気品ユニットの下方を覆う下側カバー板、電気品ユニットの前方を覆う正面側カバー板から成る電気品カバーと、を備え、前記正面側カバー板は、正面意匠パネルが開かれると露出され、前記下側カバー板は、前記正面意匠パネルの開閉状態に関わりなく、当該室内機の前側下部で露出されており、前記電気品カバーは、前記下側カバー板と前記正面側カバー板とがヒンジ構造を介して接続され、前記正面意匠パネルが開いた状態にて、前記下側カバー板に対して、前記正面側カバー板が前方下向きに回動可能なものである。
また、この発明に係る空気調和機の室内機は、上面の吸込み口から下部の吹出し口に至る空気流を生成する送風ファンと、送風ファンの上流側で送風ファンの前面側に位置する熱交換器と、熱交換器の前方に横長に配置される電気品ユニットと、当該室内機の最前面に開閉可能に位置する正面意匠パネルと、当該室内機の筺体を構成する部材に着脱可能に取り付けられ、電気品ユニットの下方を覆う下側カバー板、電気品ユニットの前方を覆う正面側カバー板から成る電気品カバーと、を備え、前記正面側カバー板は、正面意匠パネルが開かれると露出され、前記下側カバー板は、前記正面意匠パネルの開閉状態に関わりなく、当該室内機の前側下部で露出されており、前記電気品カバーは、前記下側カバー板と前記正面側カバー板とがヒンジ構造を介して接続され、前記正面意匠パネルが開いた状態にて、前記下側カバー板に対して、前記正面側カバー板が前方下向きに回動可能なものである。
【発明の効果】
【００１０】
この発明によれば、正面意匠パネルが開いた状態であっても、熱交換器の前方に配置された電気品ユニットが露出されることがなく、また、そのように電気品ユニットが露出されない構造でありながら、点検や修理作業を行うサービス作業者が、電気品ユニットに関わる点検・修理作業を行う際には、作業を容易に行うことができる空気調和機の室内機を得ることができる。
【図面の簡単な説明】
【００１１】
【図１】この発明の実施の形態１における室内機の下方からの外観斜視図である。
【図２】図１の室内機の上方からの外観斜視図である。
【図３】図１の室内機の分解斜視図である。
【図４】図１の室内機の縦断面図である。
【図５】図１の室内機における電気品ユニットの単体斜視図である。
【図６】図６の電気品ユニットの室内機への取り付けを説明する斜視図である。
【図７】図１の室内機における筺体構造を成すパネル部品の取り付けを説明する斜視図である。
【図８】図１の室内機における電気品カバーの取り付けを説明する斜視図である。
【図９】図８の電気品カバーの正面側からの斜視図である。
【図１０】図８の電気品カバーの背面側からの斜視図である。
【図１１】図８の電気品カバーの下側カバー板の部分斜視図である。
【図１２】図８の電気品カバーの正面側カバー板の部分斜視図である。
【図１３】図１２の正面側カバー板の断面図である。
【図１４】正面側カバー板の下側カバー板への接続を示す断面図である。
【図１５】下側カバー板のフックと正面側カバー板の係止壁との接続状態を示す縦断面図である。
【図１６】下側カバー板のフックと正面側カバー板の係止壁との動作を示す縦断面図である。
【図１７】電気品カバーの下側カバー板の取り付けに関する要部縦断面図である。
【図１８】電気品カバーの下側カバー板の取り付けに関する要部縦断面図である。
【図１９】電気品カバーの正面側カバー板の取り付けに関する要部縦断面図である。
【図２０】図１の室内機における正面意匠パネルの取り付けを説明する斜視図である。
【図２１】図１の室内機における正面意匠パネルが開いた状態の斜視図である
【図２２】図１の室内機における電気品カバーの正面側カバー板が開いた状態の斜視図である。
【図２３】図１の室内機における電気品カバーが取り外された状態の斜視図である。
【発明を実施するための形態】
【００１２】
実施の形態１．
図１および図２は、この発明の実施の形態１に係る空気調和機の室内機１００の外観斜視図であり、図１は斜め下方から、図２は斜め上方からの見た状態を示している。また図３は、その室内機１００の分解斜視図であり、図４は、室内機１００の縦断面図である。この室内機１００は、屋外に設置される室外機（図示なし）と冷媒配管で接続されており冷凍サイクル回路が構成されている。
【００１３】
室内機１００は、空調する部屋の壁面上部に設置される壁掛けタイプであり、図１から図４に示すように、内部に、送風ファン１と、その送風ファン１の上流側に送風ファン１を囲うように、下向きにＶ字形状の熱交換器２とが配置されている。熱交換器２は、送風ファン１の前面側で上部に位置する前側上部熱交換器２ａと、下部に位置する前側下部熱交換器２ｂと、前側上部熱交換器２ａの後方に位置する背面側熱交換器２ｃとから構成されている。前側上部熱交換器２ａと前側下部熱交換器２ｂとは、両者の突き合わせ部分が前面側へと凸となるようにそれぞれ逆方向に傾いて配置されている。これらは一体的であっても、また一体的で前面側へ凸となるような湾曲状となっていてもよい。送風ファン１は細長い円筒状のクロスフローファンで、その長手方向が室内機１００の左右方向となるように水平に配置されている。
【００１４】
熱交換器２は基台となる背面ケース１１に固定され、送風ファン１は背面ケース１１に回転支持される。いずれも背面ケース１１の前方に位置する。熱交換器２の左右どちらか一方の側（室内機１００では図３において左側）には、樹脂製の熱交換器支持板２ｄが装着されており、その熱交換器支持板２ｄが背面ケース１１の前面に爪とねじを使って固定される。また、熱交換器支持板２ｄの一部分は、背面ケース１１と組み合わされることで送風ファン１の回転軸を支持する軸受部を構成する。背面ケース１１の左右どちらか一方の側（ここでは右側）には、前方に向かって突出するファンモータ収納ケース１２が設置されている。このファンモータ収納ケース１２の内部に、送風ファン１を回転駆動するファンモータ（図示せず）が収納されている。ここでは、ファンモータ収納ケース１２は、背面ケース１１の一部分とみなすものとする、すなわち、背面ケース１１の前面という表現には、ファンモータ収納ケース１２の前面も含まれる。
【００１５】
図４に示すように、室内機１００の上面には室内空気を室内機１００の内部に吸い込む吸込み口３が形成される。そして、室内機１００の下部には、吹出し口４が設けられ、吸込み口３から吸い込まれた室内空気が熱交換器２によって冷やされたり暖められたりして、調和空気となって吹出し口４から室内へと吹き出される。これらの空気の流れ、すなわち吸込み口３から吹出し口４に至る空気流は、送風ファン１の回転により生成される。熱交換器２の下流で、送風ファン１から吹出し口４に至るまでは、吹出し風路５が形成されており、この吹出し風路５の背面壁１１ａは、送風ファン１に対して凹となるような曲面状となっている。この背面壁１１ａは、背面ケース１１の前面に形成されている。
【００１６】
前側下部熱交換器２ｂの下方には、ドレンパン組立体６が配置される。図３において、ドレンパン組立体６も背面ケース１１に固定される。なお、ドレンパン組立体６の左側は、背面ケース１１に直接固定せずに、熱交換器支持板２ｄにねじ固定して、熱交換支持板２ｄを介して背面ケース１１に支持されるようにしてもよい。ドレンパン組立体６の上面は、冷房運転時に前面上部熱交換器２ａおよび前面下部熱交換器２ｂの表面に結露し滴下する結露水を受けるドレンパン６ａとなっている。そして、その反対側となる下面は、吹出し風路６の前側壁６ｂとなる。
【００１７】
吹出し口４には、吹出し口４から吹き出される調和空気の気流を上下方向に調整する上下風向板７が設置され、その上下風向板７の上流側の吹出し風路６内には、吹き出し気流を左右方向に調整する左右風向板８が設けられる。上下風向板７は左右方向に細長い板状で、図４に示すように、前後方向に分かれており、それぞれが別々の駆動モータにより独立して上下方向に回動される。上下風向板７は、ドレンパン組立体６に回動支持されており、これらを回動させる上下風向板７用の駆動モータもドレンパン組立体６に保持されている。上下風向板７は駆動モータにより上下方向に角度を変更することで、吹き出し気流を上下方向に変化させる。また、室内機１００の運転停止時には、図１や図４に示すように吹出し口４を塞ぐような姿勢で静止する。
【００１８】
左右風向板８は、吹出し口４の左右方向に並列する複数の板状羽根とそれらを連結する連結アームから構成され、ドレンパン組立体６の前側壁６ｂに取り付けられている。左右風向板８は、駆動モータによりリンク機構を介して連結アームを左右方向に移動させることで、板状羽根の角度を左右方向に変更し、吹き出し気流の左右方向を変化させる。左右風向板８用の駆動モータもドレンパン組立体６に保持されている。
【００１９】
前側上部熱交換器２ａと背面側熱交換器２ｃの上方から前側上部熱交換器２ａの前方にかけて、フィルターユニット９が配置される。フィルターユニット９は、熱交換器２より上流側で、吸込み口３から吸い込まれた室内空気中の塵埃を捕捉するエアフィルターと、そのエアフィルターに捕捉された塵埃をブラシで回収して前側上部熱交換器２ａの前方に位置するダストボックスに溜めるフィルター清掃装置とから構成される。フィルターユニット９の上端には、エアフィルター９より上流側に位置して格子状に開口する上面パネル１０が設置されている。この上面パネル１０の格子状に形成された複数の開口部が、吸込み口３に相当する。フィルターユニット９と上面パネル１０とは、予め組み合わされている。
【００２０】
そして、前側下部熱交換器２ｂの前方に、電気品ユニット３０が配置されている。ここでは、電気品ユニット３０の容積をより大きく確保できるように、傾斜している前側下部熱交換器２ｂに略平行となるように傾斜させて電気品ユニット３０を配置している。図５はその電気品ユニット３０の斜視図である。この図においては、取り回しされている複数の配線類は、図示を省略してある。
【００２１】
電気品ユニット３０は図５に示すように横長で、左右方向に細長く板状に成形された樹脂製の取付ベース３１の前面側に、複数の電気品が設置されている。この電気品ユニット３０が室内機１００に組み込まれるとき、取付ベース３１が電気品よりも後方に位置する、すなわち前側下部熱交換器２ｂに近い位置となる。電気品ユニット３０は、前側下部熱交換器２ｂの前方に、熱交換器２の長手方向に横長な状態で配置される。
【００２２】
取付ベース３１の中央部分には、この室内機１００の運転制御を担当する制御基板３２ａを収納した外表面が金属製の制御基板ケース３２が取り付けられる。制御基板ケース３２は、電気品ユニット３０において主要となる電気部品であり、マイクロコンピュータを含めた電子部品が実装されている制御基板３２ａを着脱可能に爪で固定する箱状の基板ボックス３２ｂと、その基板ボックス３２ｂの前面側開口を覆う蓋３２ｃから構成されている。また図示しないが、基板ボックス３２ｂの左右の側面や下面には、配線が通る切り欠き溝もしくは穴が複数形成されている。
【００２３】
制御基板ケース３２は、制御基板ケース３２から突出する爪が取付ベース３１に形成される断面Ｌ字状のフックに係止され、さらにねじ締結されることで、取付ベース３１に固定される。蓋３２ｃは基板ボックス３２ｂに対して着脱可能で、取付ベース３１に制御基板ケース３２が取り付いている状態において、蓋３２ｃだけを基板ボックス３２ｂから取り外したり、取り付けたりすることが可能である。
【００２４】
図５において、取付ベース３１上の制御基板ケース３２の左側には、静電霧化装置３３が固定されている。取付ベース３１のこの部分には、前後を連通する略矩形状の連通孔が形成されていて、静電霧化装置３３はこの連通孔を通過して取付ベース３１の背面側にも突出するように爪固定されている。
【００２５】
静電霧化装置３３は、ペルチエユニットと霧化電極と高電圧発生回路とを有し、ペルチエユニットの冷却面で室内空気中の水分を結露させ、その結露水を霧化電極の先端に搬送し、その状態の霧化電極に高電圧発生回路で発生させた高電圧を印加することにより、霧化電極先端の水を静電霧化して、多量のナノメータサイズの帯電した微粒子水（ミスト）を生成する装置である。生成した帯電微粒子水は、吸込み口３から吸い込んだ室内空気とともに熱交換器２（主に前側下部熱交換器２ｂ）を通過し、吹出し口４から調和空気といっしょに室内へと放出され、部屋の居住者の肌や髪を潤すように作用する。静電霧化装置３３と制御基板ケース３２内の制御基板３２ａとは、ペルチエユニットに電力を供給する電源線（配線）、高電圧発生回路に数ボルトの電圧を供給する電源線（配線）とで接続されている。
【００２６】
そして、取付ベース３１上の制御基板ケース３２の右隣りには、前方斜め下を向いてリモコン送受信部３４と表示装置３５、それらの上方にて正面を向いて、応急運転スイッチ３６が設置されている。さらに表示装置３５の右側には赤外線センサーユニット３７が設置され、その赤外線センサーユニット３７の上方には、部屋のコンセントに差し込まれる電源ケーブル３８ａを中継する端子台３８が設置されている。
【００２７】
リモコン送受信部３４は、赤外線を使って、この室内機１００と双方向通信が可能なリモコン（図示せず）からの指示信号を受信する受信部と、リモコンへ情報信号を発信する送信部とを有している。その受信部と送信部のそれぞれが制御基板３２ａと信号線（配線）で接続されている。
【００２８】
表示装置３５は、運転状況や設定状態を使用者に光を使った表示により知らせる装置であり、互いに異なる形状に開口した複数の光透過窓が、複数列をなして並んでいる複数のＬＥＤの各々の前方に配置されていて、光透過窓を通過したＬＥＤの光がその窓の開口形状となって表示される。表示装置３５のそれぞれのＬＥＤと制御基板３２ａとが、点灯制御のための信号線（配線）で接続されている。
【００２９】
応急運転スイッチ３６は、据付業者が室内機１００を壁面に設置後に最初に運転を開始するときに押すスタートボタンである。また、リモコンが故障して使用できない状況で、使用者がこの応急運転スイッチ３６を使用することで運転開始や運転停止を行うこともできる。応急運転スイッチ３６と制御基板３２ａとも信号線（配線）で接続されている。
【００３０】
赤外線センサーユニット３７は、下方に突出する赤外線センサー３７ａとその赤外線センサーの上方に位置して赤外線センサー３７ａを左右方向に回動させる駆動モータから成る。その駆動モータの駆動力で赤外線センサー３７ａを左右方向に回動させて部屋の熱画像を取得し、床面や壁面の温度分布や部屋にいる人の位置を把握するものである。赤外線センサー３７ａと駆動モータとのそれぞれが、制御基板３２ａと信号線（配線）で接続されている。
【００３１】
端子台３８には、外部のコンセントに接続された電源ケーブル３８ａと図示しない室外機との通信線や電源線が接続され、端子台３８はこれらの外部配線を制御基板３２ａへと中継接続している。端子台３８と制御基板３２ａとの間には、これらの中継配線が複数接続されている。
【００３２】
図６は、電気品ユニット３０の室内機１００への取り付けを説明する斜視図であるが、図示されるように電気ユニット３０は、熱交換器２の前方に配置されるように取り付けられる。電気品ユニット３０が取り付けられる時点で、すでに上下風向板７および左右風向板８を装着したドレンパン組立体６が背面ケース１１に取り付けられている。電気品ユニット３０は、右側では取付ベース３１と背面ケース１１の前面とが、左側では取付ベース３１と熱交換器支持板２ｄの前面とが、それぞれねじ締結されることで固定される。このとき、図４に示すように、前側下部熱交換器２ｂの前方で、前下部熱交換器２ｂとおおよそ平行な状態となる。
【００３３】
電気品ユニット３０が取り付けられた後で、フィルターユニット９が取り付けられる。フィルターユニット９は、その右側で電気品ユニット３０の取付ベース３１の前面に、左側で熱交換器支持板２ｄの上面にそれぞれねじ固定される。右側のねじ固定を、背面ケース１１に対して行うようにしてもよい。その場合には、電気品ユニット３０とフィルターユニット９の装着は、どちらが先に行われてもよい。
【００３４】
図７は室内機１００の組立途中の分解斜視図であり、電気品ユニット３０とフィルターユニット９が取り付けられた後で、背面ケース１１や上面パネル１０といっしょに室内機１００の筐体を構成する複数の樹脂製板状部材が取り付けられる。図７に示されるように、室内機１００の右側面の意匠を担う右側面パネル１３、同じく左側面の意匠を担当する左側面パネル１４、および背面ケース１１の下面ととともに吹出し口４より奥側（壁面寄り）の下面意匠を担う連結板１５が、それぞれが背面ケース１１に爪とねじを使って固定される。
【００３５】
連結板１５は左右方向に細長い長方形状で、長辺側の前側端面が矩形状の吹出し口４の奥縁を構成している。連結板１５は右側面パネル１３および左側面パネル１４に先んじて、背面ケース１１の前面下部の中央で爪固定によって仮固定がなされる。その後に右側面パネル１３と左側面パネル１４が背面ケース１１に対して爪とねじによって固定される。その際、連結板１５の左右両端にそれぞれ形成されている突起が、右側面パネル１３および左側面パネル１４と背面ケース１１とで挟持されることとなり連結板１５も固定される。
【００３６】
室内機１００の筺体を成し、室内機１００の側面（左右方向の端面）を閉ざす右側面パネル１３と左側面パネル１４は、ともに樹脂成形された板状部材で、背面側を除く上下と前面の３方の端面から略直角に折り曲がって内側（室内機１００の左右方向の中央寄り）へと突出するフランジ部を有している。ともに３方に形成されるフランジ部のうち、上面から突出するフランジを上フランジ４１、下面のフランジを下フランジ４２、前面のフランジを前フランジ４３と呼ぶものとする。右側面パネル１３、左側面パネル１４ともに何らかの衝撃で爪固定が解除されて外れてしまわないように、それぞれ少なくとも１か所のねじ締結が必要であり、この室内機１００では、それぞれの下フランジ４２の奥側が背面ケース１１の前面下部にねじ締結されている。このねじ締結の場所は、連結板１５の左右端部の挟持位置の近傍である。
【００３７】
右側面パネル１３と左側面パネル１４はともに、下フランジ４２の前側部分が傾斜面４２１となっており、外向面が真下（室内機１００が壁面に設置された時の床面方向）ではなく真下よりもやや前方を向いている。この下フランジ４２における前方へ傾斜した前側傾斜面４２１にそれぞれ、角穴４４が特定の距離を空けて２ヶ所形成されている。また、それぞれの前フランジ４３には、中央高さ付近に正面角穴４５が、下部にはねじ穴４６が、いずれも１つずつ形成されている。ねじ穴４６は背面へとボス状になっている。
【００３８】
図８も室内機１００の組立途中の分解斜視図であり、右側面パネル１３と左側面パネル１４、および連結板１５が取り付けられた状態の室内機１００に、この室内機１００の特徴的な構成である、電気品ユニット３０をその下方と前方にて覆う電気品カバー２０が取り付けられる。図８に示されるように、電気品カバー２０は、電気品ユニット３０の下方を覆う下側カバー板２１と、前方を覆う正面側カバー板２２とから構成されている。下側カバー板２１、正面側カバー板２２ともに、樹脂成形された板部材であり、左右方向に長い（横長な）おおよそ矩形状を呈している。この電気品カバー２０は、下側カバー板２１と正面側カバー板２２とが一体ではなく別部品であって、突き合わされる互いの長辺側部がヒンジ構造を介して接続されており、ヒンジ接続部を支点として一方に対して他方が回動可能となっている。
【００３９】
図９は電気品カバー２０を正面側から見た斜視図、図１０は背面側から見た斜視図である。また、図１１は下側カバー板２１の部分斜視図で左側部分を裏面側から見ている。図１２は正面側カバー板２２の部分斜視図で、（ａ）は左側部分を正面側から、（ｂ）は裏面側から見ている。そして、図１３は正面側カバー板２２の縦断面図で、図１２（ｂ）におけるＺ−Ｚ断面を図示している。
【００４０】
まずは、下側カバー板２１について説明する。図９から図１１に示すように、下側カバー２１板は、外向面である意匠面２１１の裏面で電気品ユニット３０に面する反意匠面２１２の左右両側、ここでは左右両端からそれぞれ、短辺方向に特定の距離を空けて短辺側部爪２１ａが２つ、板厚方向に伸びて設けられている。短辺側部爪２１ａは、先端の引っ掛かり部が左右方向に外側へ凸となって形成されており、左右で反対方向を向いている。
【００４１】
また、略矩形状の下側カバー板２１における一対の長辺側部のうち、室内機１００に取り付けられた時に奥側に位置することとなる一方の長辺側部には、反意匠面２１２から左右方向に距離を空けて複数の長辺側部爪２１ｂがより奥側へと突設されている。長辺側部爪２１ｂは先端の引っ掛かり部が下を向いている。すなわち、意匠面２１１の方向に引っ掛かり部が凸となっている。そして室内機１００にて正面側に位置することとなる他方の長辺側部においては、左右方向に距離を空けて複数の断面Ｌ字状のフック２１ｃが、先端が正面側を向くように反意匠面２１２から突設されている。
【００４２】
なお、下側カバー板２１の右側には、電気品ユニット３０における赤外線センサーユニット３７の赤外線センサー３７ａが通り抜けるセンサー穴２１ｄが形成されている。電気品ユニット３０において、赤外線センサーユニット３７の赤外線センサー３７ａだけは例外で、電気品カバー２０が取り付けられた状態にて、このセンサー穴２１ｄを通り抜け、下側カバー板２１の意匠面２１１から突出することとなる。
【００４３】
続いて、正面側カバー板２２について説明する。図９から図１２（ただし図１１を除く）に示されるように、正面側カバー板２２にも外向面である意匠面２２１とその裏面で反意匠面２２２が形成されていて、その上部において、反意匠面２２２の左右両側、ここでは左右両端からそれぞれ１つの上部爪２２ａが電気品ユニット３０の方向へと伸びて設けられている。上部爪２２ａは先端の引っ掛かり部がそれぞれ左右方向に外側へ凸状となっていて、左右で反対方向を向いている。
【００４４】
また、正面側カバー板２２の下部（下端に近い位置）には、左右方向に間隔を空けて複数の四角穴２２ｂが並んで形成されている。複数の四角穴２２ｂの左右方向の間隔は、下側カバー板２１の複数のフック２１ｃの左右方向の間隔とおおよそ同じ、フック２１ｃと四角穴２２ｂの数は同数である。そして、その四角穴２２ｂを含む断面図である図１３が示すように、それぞれの四角穴２２ｂの上方には、反意匠面２２２から突出する係止壁２２ｃが設けられている。さらに、正面側カバー板２２には、左右両側のそれぞれの下部、および左右方向中央の上部の計３ヶ所にねじ通し穴２２ｄが形成されている。また、右側下部には矩形状の窓２２ｅが開口している。
【００４５】
そして、下側カバー板２１の複数のフック２１ｃを、正面側カバー板２２の四角穴２２ｂに挿入して、下側カバー板２１と正面側カバー板２２とを接続する。図１４は、正面側カバー板２２の下側カバー板２１への取り付け（接続）を示す断面図である。両者の接続にあたっては、図１４に示すように、正面側カバー板２２と下側カバー板２１とを下側カバー板２１を下にして上下に並べ、お互いの意匠面２１１、２２１が同じ方向を向きつつ、互いにほぼ平行となるような状態から、フック２１ｃ先端を、対応する位置にある四角穴２２ｂに下から挿入し、その後に互いの反意匠面２１２、２２２が近づく方向にフック２１ｃを中心として下側カバー板２１を回転させる。こうして、挿入したフック２１ｃの先部分が、正面側カバー板２２の反意匠面２２２から突設している係止壁２２ｃに引っ掛かることで、下側カバー板２１と正面側カバー板２２の接続が完了し、電気品カバー２０ができあがる。
【００４６】
図１５は、フック２１ｃと係止壁２２ｃとの接続状態を示す縦断面図であり、ここに図示される状態が室内機１００に取り付けられたときの電気品カバー２０としての定常状態である。すなわち、正面側カバー板２２は意匠面２２１が正面を向くようにほぼ鉛直方向に平行となって位置する。そのとき、係止壁２２ｃの上面にフック２１ｃの先部分が引っ掛かった状態となるが、正面側カバー板２２に対する下側カバー板２１の角度は直角とはならず、互いの反意匠面２１２、２２２同士がなす角度が鈍角となる。ここではその角度が１１０度である。この下側カバー板２２の傾斜は、右側面パネル１３および左側面パネル１４における下フランジ１３ｂ、１４ｂの前側傾斜面１３１ｂ、１４１ｂと平行となる。
【００４７】
このフック２１ｃと係止壁２２ｃとの接続がヒンジ構造を成しており、下側カバー板２１を固定すれば、正面側カバー板２２がフック２１ｃとの接続部を支点として、すなわち正面側カバー板２２の下部を支点として前方へと回動可能である。図１６は、フック２１ｃと係止壁２２ｃのヒンジ動作を示す断面図であり、固定されている下側カバー板２１に対して前方へと回動した正面側カバー板２２は、この図１６に示すように、例えば下側カバー板２１の反意匠面２１２の前端部分（フック２１ｃが形成されている長辺側部の方）に意匠面２２１の下端部分が接触することでそれ以上の回動が規制される。両者が互いに平行となるよりも前に正面側カバー板２２の回動が規制されるので、回動に伴って接続が外れてしまうことはない。接続を解除するためには、どちらも固定されていない状態のときに、互いを平行にしつつ、下側カバー板２１を正面側カバー板２２から離すように引っ張って四角穴２２ｂからフック２１ｃを抜くしかない。
【００４８】
以上のように下側カバー板２１と正面側カバー板２２とが組み合わされた電気品カバー２０を図８に示すようにして前面側から室内機１００へと取り付ける。図１７は電気品カバー２０の取り付けに関する要部縦断面図であり、下側カバー板２１の長辺側部爪２１ｂの引っ掛け状態を示している。図１７で示すように、ドレンパン組立体６の前面下部は、電気品ユニット３０よりも下方に突出していて正面側に臨んでいる。そして、その下方に突出した部分の前端に掛かり突起６ｃが上方向に突出するように形成されている。この掛かり突起６ｄは、左右方向に下側カバー板２１の複数の長辺側部爪２１ｂと同じ間隔を空けて複数設けてもよいし、左右方向に長く連続していてもよい。
【００４９】
なお、ドレンパン組立体６の前面側には、断熱材６ｃがドレンパン６ａに接するようにして設置されており、冷房運転時にドレンパン６ａに熱交換器２から滴下する冷たいドレン水によって冷やされたドレンパン６ａによって、ドレンパン組立体６の前面側に室内空気中の水分が結露するのを回避している。掛かり突起６ｃは断熱材６ｃから露出されている。ここではこの断熱材６ｃとして、ポリスチレン（ＰＳ）を発泡射出成形した発泡スチロールを使用している。
【００５０】
図１７に示すように、まず下側カバー板２１の長辺側部爪２１ｂを電気品ユニット３０の下方を通過させて、すべてを掛かり突起６ｄにかぶせるようにして引っ掛ける。この状態で電気品カバー２０の自重が掛かり突起６ｄに支持されるので、作業者がたとえ電気品カバー２０から手を放したとしても、電気品カバー２０は、室内機１００から離れることはない。続いて、下側カバー板２１の短辺側部爪２１ａの各々が、右側面パネル１３および左側面パネル１４の下フランジ前側傾斜面４２１に形成されている角穴４４の位置となるように下側カバー板２１の左右方向の位置決めをし、その状態から各々の短辺側部爪２１ａを対応する角穴４４に挿入する。
【００５１】
作業者が下側カバー板２１の左右両側をそれぞれ意匠面２１１側から下フランジ前側傾斜面４２１に向かって押し付けることにより、片側２個の短辺側部爪２１ａのそれぞれが対応する角穴４４の穴縁に押されて内側へと弾性変形して角穴４４に進入できる。図１８は、短辺側部爪２１ａと角穴４４との爪固定構造を示す要部断面図である。図１８に示すように、内側（左右方向の中央側）に弾性変形して挿入された短辺側部爪２１ａは、外側に凸状の先端引っ掛かり部が角穴４４を通過すると弾性変形が解除され、先端引っ掛かり部が角穴４４の裏側で穴縁に引っ掛かって爪固定構造が完成する。
【００５２】
これにより、下側カバー板２１の左右両側がそれぞれ、右側面パネル１３および左側面パネル１４の下フランジ前側傾斜面４２１に重なって下側カバー板２１全体が下フランジ前側傾斜面４２１と同じく角度で前方に傾斜する。そして、左右両側における短辺側部爪２１ａと角穴４４との爪固定構造、および奥側における複数の長辺側部爪２１ｂの掛かり突起６ｃへの引っ掛かり構造とにより、下側カバー板２１が室内機１００に固定される。
【００５３】
下側カバー板２１を取り付け固定した後で、正面側カバー板２２を室内機１００に固定する。下側カバー板２１がすでに固定されており、正面側カバー板２２はフック２１ｃを介して下側カバー板２１に接続しているので、正面側カバー板２２の右側面パネル１３および左側面パネル１４の前フランジ４３に対する位置決めはすでに為されていることになる。そのため、作業者が正面側カバー板２２の左右両側それぞれを意匠面２２１側から前フランジ４３に押し付ければ、正面カバー板２２の左右それぞれの上部爪２１ａが前フランジ４３上部の正面角穴４５へと挿入される。
【００５４】
図１９は、上部爪２２ａと正面角穴４５との爪固定構造を示す要部断面図である。上部爪２２ａは、下側カバー板２１の短辺側爪２１ａと同様に内側へと弾性変形しながら正面角穴４５に進入し、外側に凸状の先端引っ掛かり部が正面角穴４５を通過すると弾性変形が解除され、先端引っ掛かり部が正面角穴４５の裏側で穴縁に引っ掛かって爪固定構造が完成する。
【００５５】
左右両側での上部爪２２ａと正面角穴４５との爪固定構造によって、正面側カバー板２２は取り付け固定されるが、正面側カバー板２２にはさらに後述する理由から、ねじ固定も加わる。図８に示すように、左右両側の下部と中央上部の３ヶ所をねじ４７で固定する。左右両側の下部２ヶ所のねじ通し穴２２ｄを通ったねじ４７は、右側面パネル１３および左側面パネル１４のそれぞれの前フランジ４３下部に形成されたねじ穴４６に螺入され、正面側カバー板２２を前フランジ４３にねじ締結させる。また、中央上部のねじ通し穴２２ｄを通ったねじ４７は、フィルターユニット９の前面に設けられたねじ穴（図示せず）に螺入され、正面側カバー板２２をフィルターユニット９にねじ締結させる。この中央上部におけるねじ締結は、ねじ穴を電気品ユニット３０の取付ベース３０に形成して、正面側カバー板２２と取付ベース３１をねじ締結させるように構成してもよい。
【００５６】
以上で電気品カバー２０の取り付けが終了する。平面視で矩形状の吹出し口４は、電気品カバー２０の下側カバー板２１の奥側端面がその前縁を、連結板１５の前側端面がその奥縁を、右側面パネル１３および左側面パネル１４のそれぞれの下フランジ４２の端部がその左右の側縁を、それぞれ担当して形成されることとなる。
【００５７】
その後、正面意匠パネル１６を室内機１００の最前面に取り付けて室内機１００の組立が完了する。図２０は正面意匠パネル１６の取り付けを示す斜視図である。  正面意匠パネル１６の背面（反意匠面）の左右両側上部にはそれぞれ回動軸１６ａが一体的に形成されており、これら回動軸１６ａが、右側面パネル１３および左側面パネル１４のそれぞれの前フランジ４３の上部に形成される軸受４３１に嵌め込まれることで取り付けられる。
【００５８】
回動軸１６ａは軸受４３１に回転可能に支持され、正面意匠パネル１６は、上部の回動軸１６ａを支点に上下方向に回動することで、室内機１００の前面を開閉可能とする。正面意匠パネル１６が閉じている場合には、正面意匠パネル１６の左右両側の背面下部に形成された静止爪１６ｂが、前フランジ４３の下部に形成されたキャッチ部４３２に挟持され、安定した静止状態が維持される。開閉可能な正面意匠パネル１６は、室内機１００の最前面に位置する。
【００５９】
正面意匠パネル１６が上方へと特定の角度まで回動して開かれると、軸受の構造上、回動軸１６ａがその位置で保持されて、その特定の角度で開いた状態が維持される。その状態でユーザが、フィルターユニット９の清掃作業を行うことができる。この室内機１００では、その正面意匠パネル１６の開放状態が維持される特定の角度（以降は開放維持角度とする）は、閉じた状態から上方へ７０度となっている。その角度よりもさらに開くと、回動軸１６ａが軸受４３１に対して脱着可能となり、正面意匠パネル１６の取り外し、取り付けが可能となる。
【００６０】
このようにして組み立てられた室内機１００を、室内の壁面に設置されている状態を模擬して、室内機１００を前方斜め下から見た斜視図が図１である。正面意匠パネル１６は閉じ、運転停止中であって上下風向板７も吹出し口４を閉じていて、図８の縦断面図に対応している。図１、図８に示すように、上下風向板７によって閉じられた吹出し口４の前端と閉じた状態の正面意匠パネル１６の下端との間には、電気品ユニット３０の下方を覆う電気品カバー２０の下側カバー板２１が位置して、その意匠面２１１が室内に臨んでおり、センサー穴２１ｄを通過して赤外線センサー３７ａが意匠面２１１から突出するものの、電気品ユニット３０は露出されていない。下側カバー板２１は、正面意匠パネル１６の開閉状態に関わりなく、その意匠面２１１が室内に露出されている。
【００６１】
この下側カバー板２１を、右側面パネル１３および左側面パネル１４、または正面意匠パネル１６と同じ色とすることにより、室内機１００が統一感の取れたデザインとなるし、異なる色として室内機１００のデザインにおいてアクセントカラーとして利用することもできる。下側カバー板２１は前述のとおり前方斜め下を向いているが、電気品ユニット３０のリモコン送受信部３４と表示装置３５は、その前面が下側カバー板２１とほぼ平行となっている。すなわち、リモコン送受信部３４と表示装置３５の前面は、下側カバー板２１の反意匠面２１２にほぼ平行状態で向き合っている。このため、室内機１００の運転中には、表示装置３５が発する表示内容が下側カバー板２１を透過し、室内に居るユーザがその表示内容を認識することができる。また、同様に下側カバー板２１を透過して、赤外線信号を用いるリモコンと室内機１００との双方向通信が可能となっている。
【００６２】
そして、ユーザが例えばフィルターユニット９の手入れのために、正面意匠パネル１６を開くとする。ここで、フィルターユニット９の手入れとは、フィルター清掃装置のダストボックスを取り外して内部に溜まった塵埃を捨て再び装着することや、エアフィルターを取り外して水洗いし乾燥させた後で再び装着することなどである。図２１は、正面意匠パネル１６が開放維持角度で開いた状態での室内機１００の斜視図で、図１と同様に前方斜め下から見ている。
【００６３】
図２１に示すように、正面意匠パネル１６を開放しても、電気品ユニット３０の前方を正面側カバー板２２が覆っているので、熱交換器２（ここでは前側下部熱交換器２ｂ）の前方に電気品ユニット３０を配置していながら電気品ユニット３０が正面へと露出されることはない。窓２２ｅから応急運転スイッチ３６が覗いているだけである。応急運転スイッチ３６はリモコンの不具合時にユーザが利用する場合もあるため、正面側カバー板２２で隠すことなく、窓２２ｅから正面へと覗かせ、ユーザにその存在を知らしめるとともに、操作可能な状態としているのである。
【００６４】
正面側カバー板２２が、制御基板ケース３２に出入りしている各種配線を含めて、電気品ユニット３０をその背面側に隠しているので、ユーザがフィルターユニット９の手入れの最中に、電気品ユニット３０に触れてしまうことがない。そのため、誤って配線を引っ掛けて抜いてしまったり、切断してしまったりすることがなく、安全に手入れ作業を実施することができる。
【００６５】
また、右側面パネル１３と左側面パネル１４、および下側カバー板２１と同様に樹脂成形品の正面側カバー板２２が正面へと露出されることとなるので、表面が金属製の制御基板ケース３２や各種配線などがむき出しとなることに比べると大幅に意匠性が高く、部屋のインテリアデザインの一部を担っている室内機１００にあって、手入れ作業のためとはいえ、正面意匠パネル１６の開放状態であっても、ユーザに電気部品や配線を意識させることなく、正面意匠パネル１６が閉じた状態での高い意匠性を損なうことがない。
【００６６】
正面側カバー２２を、右側面パネル１３および左側面パネル１４、または下側カバー板２１と同色とすることで、正面意匠パネル１６の開放状態であっても、統一感の取れたデザインを確保できる。また、あえてそれらと異なる色として、アクセントカラーに利用することもできる。
【００６７】
下側カバー板２１は、左右方向に細長いおおよそ矩形状の樹脂成形された板部品であるが、左右両側における短辺側部爪２１ａの固定構造によるだけではなく、奥側の長辺側部では、複数の長辺側部爪２１ｂが、左右方向に適度な間隔でドレンパン組立体６の前面の掛かり突起６ｄに引っ掛かっており、また、正面側の長辺側部は、右側面パネル１３および左側面パネル１４にねじ固定されている正面側カバー板２２に、左右方向に適度な間隔で複数のフック２１ｃにより吊り下げられている状態となっているので、経年変化によって、左右方向に湾曲して下方へと膨らんでしまうようなことはなく、意匠性を長期間維持できる。なお、この室内機１００では、それぞれ６個の長辺側部爪２１ｂとフック２１ｃを使用しているが、それらの数や間隔は設計事項であり、下側カバー板２１の大きさに応じて適宜選択されればよい。
【００６８】
また、正面側カバー板２２も、左右方向に細長いおおよそ矩形状の樹脂成形された板部品であるが、その上部では、左右両側における上部爪２２ａの固定構造だけでなく、中央にてフィルターユニット９とねじ締結されており、また下部では、左右両側それぞれで前フランジ４３とねじ締結されるとともに、下側カバー板２１の複数のフック２１ｃが左右方向に適度な間隔で、反意匠面２２２の係止壁２２ｃに引っ掛かって下側カバー板２１の自重を受けているので、経年変化によって、左右方向に湾曲して前方へと膨らんでしまうようなことはない。
【００６９】
正面側カバー板２２はヒンジ接続構造をなす下部を支点として前方下向きへと回動可能であるが、爪固定構造だけでなく、３ヶ所でねじ４７によって固定されているので、ユーザがフィルターユニット９の手入れの最中に誤って正面側カバー板２２に接触したり何かをぶつけてしまったりしても、上部爪２２ａが正面角穴４５から外れて正面側カバー板２２が回動してしまう、すなわち開いてしまうような事態にはならず、意図せずに電気品ユニット３０が露出されてしまうということも起こらない。
【００７０】
また、下側カバー板２１は、ねじ固定されている正面側カバー板２２に、フック２１ｃを介して前側の長辺側部を固定されているので、奥側での長辺側部爪２１ｂの固定とあいまって、その状態の下側カバー板２１を弾性変形させることができず、短辺側部爪２１ａの角穴４４への引っ掛かりを解除することはできない。そのため、正面側カバー板２２が固定されている状態では、下側カバー板２１は外れることがない。ユーザがフィルターユニット９の手入れの際に、フィルターユニット９と関係のない正面側カバー板２２のねじ４７を取り外すことはないので、ユーザが意図しないのに電気品カバー２０が外れてしまうという事態が起こることはない。
【００７１】
そして、この電気品カバー２０は、室内壁面への室内機１００の設置後の電気品ユニット３０に関わる配線作業や点検・修理作業のメンテナンス時において大きな効力を発揮する。室内機１００の点検や故障した場合の修理においては、サービス作業者が電気品ユニット３０の各種電気部品の調査や修理、交換といった作業を実施する。サービス作業者は、電気品ユニット３０のメンテナンスや修理を行うにあたっては、まず正面意匠パネル１６を開く、もしくは取り外す。そうすれば正面側カバー板２２が露出されるので、正面側カバー板２２を固定している３ヶ所のねじ４７を外す。
【００７２】
ねじ４７による締結が解除された状態では、正面側カバー板２２の上部は左右両側における上部爪２２ａによる固定だけであるので、サービス業者が上部を持って手前に引けば、挿入時とは逆に、上部爪２２ａの先端引っ掛かり部が正面角穴４５の穴縁に押されて内側へと弾性変形しながら正面角穴４５から抜け出る。これによって上部爪２２ａの爪固定構造が解除される。
【００７３】
上部爪２２ａの固定が解除されると、正面側カバー板２２は、短辺側部爪２１ａと長辺側部爪２１ｂで固定されている下側カバー板２１に対して、ヒンジ接続構造であるフック２１ｃを介して回動可能となるので、手前側に倒すことができる。こうして正面側カバー板２２を手前に回動させて開いた状態として、電気品ユニット３０の前面側を開放することができる。図２２は、正面側カバー板２２を回動させて開いた状態を示す斜視図である。この図では作業にあたって正面意匠パネル１６を取り外しており、図２２、および後述する図２３では、正面意匠パネル１６は図示されていない。
【００７４】
正面側カバー板２２は、図１６に示すような、下側カバー板２１と互いの反意匠面２１２、２２２のなす鈍角が１６５度程度となるまで傾く。こうして正面側カバー板２２が回動して傾斜することで、図２２に示すように、電気品ユニット３０前面が開放されるので、サービス作業者は斜め上方から電気品ユニット３０の状況を確認でき、目視調査が可能となる。ただしこの状態では、下側カバー板２１に前面が平行となるように配置されているリモコン送受信装置３４と表示装置３５の前面の目視調査をすることはできない。
【００７５】
さらにこの状態からサービス作業者が、正面側カバー板２２を手前に引き寄せるような力を加えれば、フック２１ｃを介して下側カバー板２１に、下側カバー板２１を下フランジ前側傾斜面４２１から引き離そうとする力が作用することとなって、左右両側の短辺側部爪２１ａのそれぞれが内側に弾性変形しながら角穴４４から抜け出る。これによって短辺側部爪２１ａの爪固定構造が解除される。
【００７６】
奥側の長辺側部爪２１ｂは、ドレンパン組立体６の掛かり突起６ｄにかぶるようにして引っ掛けられているものなので、短辺側部爪２１ａの固定がすでに解除されている状態であるので、サービス作業者は下側カバー板２１を正面側カバー板２２とともに持ち上げるだけで長辺側部爪２１ｂの掛かり突起６ｄへの引っ掛かりを解除できる。サービス作業者は長辺側部爪２１ｂの引っ掛かりを解除して手元に引き寄せることで、電気品カバー２０の取り外しが終了する。
【００７７】
図２３は、電気品カバー２０が取り外された状態の室内機１００の斜視図であり、図２２と同様に正面意匠パネル１６は取り外されている。図２３に示すように、電気品カバー２０が取り外されることで、電気品ユニット３０が最前面に位置して、しかもその電気品ユニット３０の前方および下方が開放されて遮るものがない状態となる。そのため、サービス作業者が電気品ユニット３０に関わる点検や修理、部品交換等を行う作業スペースを十分に確保でき、それらの作業を容易に行うことができる。そしてサービス作業者は、身体をひねるような動作をする必要もなく対象電気部品を正面に観ながら作業することができるため、安全で正確な作業を行うことができる。
【００７８】
電気品ユニット３０に設置される複数の電気品の中で、点検が必要となる頻度が他の電気品に比べて高い制御基板３２ａは、図２３の状態から、制御基板ケース３２の蓋３２ｃを取り外すだけで点検作業を行える。蓋３２ｃを取り外せば、正面を向いて制御基板３２ａが露出されるので、テスターを用いた点検作業等が容易に実施できる。また制御基板３２ａに不具合が検出され新しいものと交換しなければならない場合でも、蓋３２ｃを開ければ、制御基板３２ａに接続される各種配線の抜き差し、制御基板３２ａの脱着が可能であり、新旧基板の交換作業も容易に行うことができる。
【００７９】
前方斜め下を向くリモコン送受信部３４を含めた他の電気品についても、正面に観ながら十分な作業スペースで、点検や修理、交換などの作業することができるので、作業し易く、かつ安全で正確な作業を行うことができる。なお、電気品カバー２０を取り外して電気品ユニット３０に関わる点検・修理作業するにあたって、図２３に示す例では、正面意匠パネル１６を取り外していたが、取り外すことなく開放維持角度で開いた状態にて作業することも可能である。電気品の必要な作業を終了したならば、サービス作業者は、取り外した電気品カバー２０を、下側カバー板２１から上記した手順で取り付けることで、再び電気品ユニット３０を覆い隠した意匠性の高い状態に戻すことができる。
【００８０】
なおこの室内機１００では、電気品ユニット３０の左右両端付近は、それぞれ右側面パネル１３および左側面パネル１４の前フランジ４３に前方を覆われている。左側面パネル１４の方は取付ベース３１を覆っているのみで前フランジ４３の背面側に位置する電気品は存在しないが、右側面パネル１３の方は、電気品の１つである端子台３８を覆っている。この端子台３８は電源コンセントや室外機（ともに図示せず）からの配線を中継する機能を有しているが、故障の頻度は少ないため、ここでは前フランジ４３の背面側に位置させている。
【００８１】
だからと言って端子台３８の点検や修理作業ができないわけではない。右側面パネル１３も左側面パネル１４も上述のとおり、電気品カバー２０が取り付けられる直前に背面ケース１１に取り付けられた部品であり、電気品カバー２０が取り外された状態にあっては、室内の壁面に設置後であってもともに背面ケース１１から取り外しおよび再取り付けが可能である。頻度は低いが端子台３８に関わる作業が必要な場合は、右側面パネル１３を取り外すことで実施することができる。また、右側面パネル１３と左側面パネル１４の両方を取り外せば、室内の壁面に設置されている状況でも、電気品ユニット３０全体の取り外しおよび再取り付けが可能である。
【００８２】
なお、電気品ユニット３０の前方を全域に渡って正面側カバー板２２で覆うように構成してもよく、その場合では、正面側カバー板２２の爪固定およびねじ締結は、ともに電気品ユニット３０の取付ベース３１を対象として行うのがよい。
【００８３】
この室内機１００の電気品カバー２０では、固定されている下側カバー板２１に対する正面側カバー板２２のヒンジ接続構造（回動可能接続構造）として、フック２１ｃを使用したが、他のヒンジ接続構造を用いることも可能である。  どのようなヒンジ接続構造であっても、通常状態では鉛直方向に平行に取り付けられている正面側カバー板２２を、その下端付近を支点として前方に回動でき、電気品ユニット３０の前方を解放することができればよい。
【００８４】
例えば、下側カバー板２１の前端と正面側カバー板２２の下端とを薄肉片で接続し、この薄肉片を弾性変形させて正面側カバー板２２が前方に回動可能となるようにしてもよい。このような薄肉ヒンジを利用した場合には、回動させて開いた状態の正面側カバー板２２から手を放すと薄肉片の弾性力により閉じ方向に回動して閉じてしまうこととなる。また、開いた状態から下側カバー板２１を取り外す場合には、正面側カバー板２２を手前に引き寄せようとすると薄肉片が伸びたり切断してしまったりする恐れがあるので、下側カバー板２１の前端や側端を直接持って、下フランジ前側傾斜面４２１から引き離そうとする力を付与する必要がある。しかし、薄肉ヒンジを利用すれば、正面側カバー板２２の回動角度を大きくできるメリットがある。
【００８５】
フック２１ｃの場合には構造上、フック２１ｃが外れないようにするために、正面側カバー板２２は下側カバー板２１と平行になる手前までしか回動させられず、この室内機１００では、正面側カバー板２２の通常取り付け状態からの回動可能角度が５０度程度であった。しかし、薄肉ヒンジを利用すれば、回動可能角度を９０度以上とすることも可能となり、電気品ユニット３０の前面を大きく解放でき、サービス作業者の点検作業がより容易に行えるようになる。
【００８６】
また、他のヒンジ接続構造として、下側カバー板２１と正面側カバー板２２の一方に左右方向に延伸する軸を、他方にその軸と嵌め合う軸受を設け、蝶つがいとなるようにして正面側カバー板２２を回動可能としてもよい。この場合では、正面側カバー板２２の９０度以上の回動可能角度を得ようとすれば、接続する下側カバー板２１と正面側カバー板２２のそれぞれの長辺側部の間に、軸および軸受を配置しなければならないため、正面側カバー板２２の下端と下側カバー板２１の前端には、軸および軸受がない部分に隙間が生じてしまい、電気品カバー２０の通常取付状態において、その隙間から電気品ユニット３０が見えてしまう恐れがある。どちらか一方の反意匠面上に軸および軸受を配置した場合には隙間は生じないが、正面側カバー板２２の下部が下側カバー板２１の前端付近に接触して、フック２１ｃと同様にそれ以上の回動が制限されることになる。
【００８７】
一般的な空気調和機の室内機では、この室内機１００で言うところの、格子状の上面パネル１０、右側面パネル１３、左側面パネル１４、背面板１５、下側カバー板２１が枠体として樹脂で一体成形されていて、それを前方から熱交換器２にかぶせるようにして、背面ケース１１に固定して筺体を成す構造のものが多い。その場合には、前側下部熱交換器２ｂの前方に配置した電気品ユニット３０が、正面意匠パネル１６が開かれると正面へと露出してしまうし、また、電気品ユニット３０の点検、修理作業の際には、電気品ユニット３０の下方をその枠体の一部（室内機１００の下側カバー板２１に相当する部分）が覆っているので、作業し難く、十分な作業スペースを得るためには、その枠体すべてを取り外す必要が生じる。
【００８８】
しかし、この実施形態における室内機１００は、送風ファン１より前側に位置する熱交換器２の下部前方に電気品ユニット３０が配置され、その電気品ユニット３０の下方および前方を覆う下側カバー板２１および正面側カバー板２２から成る電気品カバー２０を備える。そして、電気品ユニット３０の下方を覆う下側カバー板２１が、この室内機１００の筺体を成す右側面パネル１３および左側面パネル１４から独立した別部品であり、右側面パネル１３および左側面パネル１４に着脱可能に取り付けられている。さらに、右側面パネル１３および左側面パネル１４に着脱可能に、この電気品ユニット３０の前方を覆う正面側カバー板２２も取り付けられている。
【００８９】
このため、ユーザが、この室内機１００の内部の簡単な拭き掃除やフィルターユニット９の手入れを行うために、正面意匠パネル１６を開けた状態としても、下側カバー板２１と正面側カバー板２２から成る電気品カバー２０に隠れて電気品ユニット３０は露出されず、ユーザの目に触れることもないし、作業するユーザの手が電気品ユニット３０に触れることもない。
【００９０】
よって、ユーザが正面意匠パネル１６を開けても、表面が金属製の制御基板ケース３２や各種電気品やそれらと制御基板３２ｂをつなぐ多数の配線類を見ることがないので、正面意匠パネル１６が閉じられた状態のときの高い意匠性が維持される。さらに、ユーザが清掃やフィルターユニット９の手入れ中に、電気品ユニット３０に触れることがないので、誤って配線類を引っ掛けて抜いたり、切断したりしてしまうトラブルが発生せず、ユーザはそれらの作業を安全に安心して実施することができる。
【００９１】
また、電気品カバー２０は、正面側カバー板２２および下側カバー板２１ともに、この室内機１００が室内の壁面に設置された状態にあっても、室内機１００の筺体を構成する右側面パネル１３および左側面パネル１４に着脱可能であるため、電気品ユニット３０の点検や修理作業が必要な場合には、その作業を行うサービス作業者が、電気品カバー２０を取り外すことで、電気品ユニット３０が最前面に位置し、その前方にも下方にも障害物がないので、作業スペースを十分に確保することができ、作業がし易く、また安全に正確な作業を実施することができる。
【００９２】
また、電気品カバー２０は、正面側カバー板２２をヒンジ構造を介して下側カバー板２１に接続させているので、サービス作業者は、固定されている下側カバー板２１に対して、正面側カバー板２２を前方下向きに回動させて電気品ユニット３０の前方を解放させることができ、電気品カバー２０を取り外さなくても電気品ユニット３０の目視調査が可能となる。ヒンジ構造の種類、例えば薄肉ヒンジ構造、によっては、正面側カバー板２２を９０度以上回動させることもでき、そのように大きく回動させれば、一部の電気品、例えば静電霧化装置３３、の点検や修理、交換も可能となる。
【００９３】
また、電気品カバー２０が通常に取り付けられている状態では、下側カバー板２１はヒンジ構造で接続される正面側カバー板２２によって長手方向である左右方向の弾性変形が許容されず、正面側カバー板２２のねじ４７による締結および爪固定が解除され、正面側カバー板２２が下側カバー板２１に対して回動されている状態からでなければ、下側カバー板２１が爪固定されているだけであっても、右側面パネル１３および左側面パネル１４から下側カバー板２１を取り外ことができない。そして、正面側カバー板２２は右側面パネル１３および左側面パネル１４にねじ４７によってねじ締結されているので、ユーザが誤って正面側カバー板２２に接触したり何かをぶつけてしまったりしても、正面側カバー板２２の固定が解除されてしまうことはなく、電気品カバー２０が意図せずに取り外されてしまうことがない。このように下側カバー板２１は、ねじ固定がなく爪による固定だけであっても、意図せずに取り外れてしまうことがない。
【００９４】
なお、この室内機１００では、室内機１００の筺体を構成している上面パネル１０、右側面パネル１３、左側面パネル１４、背面板１５をそれぞれ別部品として構成しているが、これらが一体成形されたものであってもよく、そのような一体成形品に、下側カバー板２１と正面側カバー板２２から成る電気品カバー２０を着脱可能に取り付けるように構成しても同様な作用効果が得られる。室内機１００の筺体構造がどうようなものであっても、筺体を構成する部材（樹脂部材）に電気品カバー２０を着脱可能に取り付ければ、同様な作用効果が得られる。
【００９５】
電気品カバー２０の下側カバー板２１は、正面意匠パネル１６の開閉状態に関わらず、常に意匠面２１１を室内に臨ませており、外観意匠部品の１つであると言え、また、同時に右側面パネル１３と左側面パネル１４とを接続しているので、室内機１００の筺体の一部であるとも言える。同様に、正面側カバー板２２も右側面パネル１３と左側面パネル１４とを接続しており、室内機１００の筺体の一部であると言うことができる。
【００９６】
ここまで、室内機１００の着脱可能な電気品カバー２０は、下側カバー板２１と正面側カバー板２２とが回動可能にヒンジ構造で接続されていたが、下側カバー板２１と正面側カバー板２２とを接続しないで電気品カバー２０を構成とすることもできる。すなわち、下側カバー板２１と正面側カバー板２２とが互いに独立しているのである。この場合には、不意に電気品カバー２０が外れてしまうことがないように、正面側カバー板２２だけでなく、下側カバー板２１にも右側面パネル１３および左側面パネル１４、もしくは他の部品に、ねじ締結する必要が生じ組み立て工程が増えるが、このような構成であっても同様な作用効果が得られる。それだけでなく、サービス作業者は、電気品ユニット３０の下方だけを解放することも可能となり、下側カバー板２１の反意匠面２１２に対向しているリモコン送受信部３４や表示装置３５の点検作業が容易となる効果も加えられる。
【００９７】
また、下側カバー板２１と正面側カバー板２２とを一体成形された１つの部品で構成することもできる。縦断面が略Ｌ字状となるような樹脂成形品をとするわけだが、この場合には電気品ユニット３０の正面側だけを解放することができなくなって、サービス作業者が簡単に目視調査するだけでも、電気品カバー２０を取り外す必要が生じるが、正面意匠パネル１６が開いた状態でも電気品カバー２０によって高い意匠性が維持され、電気品ユニット３０に触れる心配がないというユーザにとっての利点、また、電気品カバー２０を取り外すことで、点検や修理を行う作業スペースを十分に確保でき、作業が容易で、かつ安全で正確に作業が行えるというサービス作業者にとっての利点は得ることができる。
【００９８】
電気品カバー２０は、樹脂の射出成形品であるが、下側カバー板２１と正面側カバー板２２とを別々に成形し、それらを回動可能にヒンジ構造接続する、もしくは接続しないで互いに独立させて電気品カバー２０を構成させる場合では、下側カバー板２１と正面側カバー板２２の板厚を異ならせることが可能である。また、それらの樹脂材料を異ならせることも可能となる。
【００９９】
したがって、経年劣化で自重により下方へと膨らむような変形が懸念される下側カバー板２１の板厚を、通常取り付け状態が鉛直方向となる正面側カバー板２２の板厚よりも厚くして電気品カバー２０を構成するということができる。この場合では、下側カバー板２１のリモコン送受信部３４や表示装置３５が対向する部分の板厚は、リモコン送受信部３４が送受信する赤外線信号や表示装置３５の表示内容が下側カバー板２１を透過し易いように、他の部分よりも薄く形成するのがよい。
【０１００】
また、経年劣化で自重により下方へと膨らむような変形が懸念される下側カバー板２１の樹脂材料を、通常取り付け状態が鉛直方向に水平となる正面側カバー板２２の樹脂材料板厚よりも高剛性な材料で成形して電気品カバー２０を構成するということができる。さらにこの場合には、下側カバー板２１の板厚を、正面側カバー板２２の板厚よりも薄くして、リモコン送受信部３４が送受信する赤外線信号や表示装置３５の表示内容が下側カバー板２１を透過し易いように構成することもできる。
【０１０１】
また、下側カバー板２１と正面側カバー板２２の色を異ならせて電気品カバー２０を構成することも可能となる。
【符号の説明】
【０１０２】
１  送風ファン、２  熱交換器、３  吸込み口、４  吹出し口、１１  背面ケース、１３  右側面パネル、１４  左側面パネル、１６  正面意匠パネル、２０  電気品カバー、２１  下側カバー板、２１ｃ  フック、２２  正面側カバー板、２２ｃ  係止壁、２２ｄ  ねじ通し穴、３０  電気品ユニット、４６  ねじ穴、４７  ねじ、１００  室内機。
【図１】
0006365080.tif 000002
【図２】
0006365080.tif 000003
【図３】
0006365080.tif 000004
【図４】
0006365080.tif 000005
【図５】
0006365080.tif 000006
【図６】
0006365080.tif 000007
【図７】
0006365080.tif 000008
【図８】
0006365080.tif 000009
【図９】
0006365080.tif 000010
【図１０】
0006365080.tif 000011
【図１１】
0006365080.tif 000012
【図１２】
0006365080.tif 000013
【図１３】
0006365080.tif 000014
【図１４】
0006365080.tif 000015
【図１５】
0006365080.tif 000016
【図１６】
0006365080.tif 000017
【図１７】
0006365080.tif 000018
【図１８】
0006365080.tif 000019
【図１９】
0006365080.tif 000020
【図２０】
0006365080.tif 000021
【図２１】
0006365080.tif 000022
【図２２】
0006365080.tif 000023
【図２３】
0006365080.tif 000024